(57)【特許請求の範囲】
【請求項１】
少なくとも前後一対の針床と、各針床に複数配置される編針に編糸を給糸させる給糸口とを備える横編機を用いて、針床に係止される編地の針床長手方向の端部よりも内側に増し目を形成するにあたり、連続して編成される複数の編目からなる中間編目列を挟んで一対の増し目を形成する内増やし方法であって、
中間編目列の編成に先立ち、複数の編目からなる先行編目列を編成した後、この先行編目列の終端編目近傍の前後いずれかの針床の空針に捻れ目からなる一側増し目を形成し、
次いで、先行編目列の編成に続いて中間編目列を編成し、
さらに、中間編目列の終端編目近傍の前後いずれかの針床の空針に捻れ目からなる他側増し目を形成した後、複数の編目からなる後行編目列を編成する過程を含み、
その過程の途中、もしくはその過程の後に、
一側増し目を、先行編目列の編幅内、もしくは中間編目列の編幅内に挿入することと、
他側増し目を、一側増し目を先行編目列の編幅内に挿入する場合は、後行編目列の編幅内に、一側増し目を中間編目列の編幅内に挿入する場合は、中間編目列の編幅内に挿入することと、
を行うことを特徴とする内増やし方法。
【請求項２】
他側増し目の形成は、一側増し目を形成した針床に対向する針床で行うことを特徴とする請求項１に記載の内増やし方法。
【請求項３】
内増やしを行う過程で一側増し目を目移ししないで済むように、一側増し目を形成する前に、既に針床に形成されている先行編目列のうち、少なくとも中間編目列寄りの端部編目を除く単数あるいは複数の編目を対向する針床に目移しして、その目移しによって空針となった編針に一側増し目を形成することを特徴とする請求項１または２に記載の内増やし方法。
【発明の詳細な説明】
【技術分野】
【０００１】
本発明は、横編機を用いた編地の編成の際、針床に係止される編地の針床長手方向の端部よりも内側に増し目を形成する内増やし方法、およびその方法を適用して編成された編地に関する。
【背景技術】
【０００２】
従来から、横編機で編地を編成する過程において、編地を所望の形状に編成するために、増し目を形成する場合がある。このような増し目を形成する方法として、針床に係止される編地における針床長手方向の端部に位置する複数の編目を、針床長手方向の外側に移動させて編地の編成領域内に空針を発生させ、この空針に掛け目を形成して編幅を増加させる内増やし方法が知られている。
【０００３】
しかし、この内増やし方法では、前コースの編目が存在しない空針に給糸することにより、掛け目からなる増し目を形成することになるので、増し目の形成箇所に孔が発生し易い。そこで、本出願人は、増し目の形成箇所における孔を目立たなくする内増やし方法として、例えば、特許文献１に示すような一つの編目を二つに分割する割り増やし（ｓｐｌｉｔ  ｋｎｉｔ）を行っている。しかし、割り増やしに対応していない横編機もあるため、以下に示すような、割り増やしに対応していない横編機でも増し目の形成箇所における孔を目立たなくできる内増やし方法も提案されている。
【０００４】
図８は、互いに対向する前後一対の針床を二対備える４枚ベッド横編機を用いて、編地を編地の編幅方向に２分する基準線Ｘ−Ｘを挟んで対称な位置に配置される一対の増し目の形成箇所における孔を目立ち難くするための一般的な内増やし方法の編成工程図の一部である。図中、下部前針床、下部後針床、上部前針床、および上部後針床は、それぞれＦＤ、ＢＤ、ＦＵ、およびＢＵとする。図８の編成工程図において、図中左側のアルファベット＋数字は工程番号を示し、左右方向の矢印は編成方向または給糸口９の移動方向を示し、上下方向または斜め方向の矢印は目移しの方向を示す。図中のＡ〜Ｒは前針床（ＦＤ，ＦＵ）の編針を、ａ〜ｒは後針床（ＢＤ，ＢＵ）の編針を示す。また、図中の○は編目を、Ｖ印は掛け目を示し、各編成工程で実際に行われた動作は、太線で示す。ここで、図８では、説明の便宜上、編針の数を実際の編成で使用する数より少なくし、すべて天竺で編成するものとする。また、図中では、ラッキングを伴う目移しについては、そのラッキングの動作を省略している。なお、図面の見方などは、後述する実施例図である図１，３〜６においても同様である。
【０００５】
Ｖ１には、周回編成によりＢＤの編針ｃ〜ｐ、ＦＤの編針Ｐ〜Ｃに筒状編地を編成した状態が示されている。この状態から、Ｖ２では、ＢＤの編針ｃ〜ｅ，ｎ〜ｐに係止される編目をそれぞれ、対向するＦＵの編針Ｃ〜Ｅ，Ｎ〜Ｐに目移しする。続くＶ３，Ｖ４では、Ｖ２でＦＵの編針Ｎ〜Ｐ，Ｃ〜Ｅに目移しした編目をそれぞれ、対向するＢＤの編針ｏ〜ｑ，ｂ〜ｄに目移しすることで、ＢＤの編針ｅ，ｎに増し目を形成するための空針を生じさせる。
【０００６】
そして、Ｖ５〜Ｖ９では、Ｖ３，Ｖ４で生じた空針に掛け目からなる増し目を形成しつつ、編地の後側編地部を編成する。具体的には、Ｖ５では、図の左から右方向に向けて給糸口９を移動させて、ＢＤの編針ｂ〜ｄで編目を形成する。Ｖ６では、左方向に向けて給糸口９を移動させて、ＢＤの編針ｅに掛け目からなる増し目を形成する。Ｖ７では、右方向に向けて給糸口９を移動させて、ＢＤの編針ｆ〜ｍに編目を形成する。Ｖ８では、左方向に向かって給糸口９を移動させて、ＢＤの編針ｎに掛け目からなる増し目を形成する。Ｖ９では、右方向に向かって給糸口９を移動させて、ＢＤの編針ｏ〜ｑに編目を形成する。これらＶ５〜Ｖ９の編成が大略的に左から右方向に進行している中で、ＢＤの編針ｅ，ｎでの掛け目の形成は右から左方向への給糸で行なわれているため、これら掛け目は捻れ目となっている。
【０００７】
上述のように、増し目を捻れ目とすることで、この捻れ目を挟む２つの編目の間隔が詰まるので、当該増し目の形成箇所に生じる孔を目立たなくすることができる。
【先行技術文献】
【特許文献】
【０００８】
【特許文献１】特公昭６２−５２０６３号公報
【発明の概要】
【発明が解決しようとする課題】
【０００９】
しかし、編成に使用する編糸の種類や、当該増し目の形成箇所近傍の編組織によって孔空きを目立たなくする効果が十分でない場合もあり、より効果的に孔空きを目立たなくすることができる内増やし方法の開発が望まれている。
【００１０】
本発明は上記事情に鑑みてなされたものであり、その目的の一つは、編地の編成にあたり内増やしを行う際、増し目の形成箇所における孔空きを効果的に防止するための内増やし方法、およびこの内増やし方法を適用して編成された編地を提供することにある。
【課題を解決するための手段】
【００１１】
本発明内増やし方法は、少なくとも前後一対の針床と、各針床に複数配置される編針に編糸を給糸させる給糸口とを備える横編機を用いて、針床に係止される編地の針床長手方向の端部よりも内側に増し目を形成するにあたり、連続して編成される複数の編目からなる中間編目列を挟んで一対の増し目を形成する内増やし方法である。この本発明内増やし方法は、以下の過程を含み、その過程の途中、もしくはその過程の後に、下記操作１，２を行うことを特徴とする。
［過程］中間編目列の編成に先立ち、複数の編目からなる先行編目列を編成した後、この先行編目列の終端編目近傍の前後いずれかの針床の空針に捻れ目からなる一側増し目を形成する。次いで、先行編目列の編成に続いて中間編目列を編成する。さらに、中間編目列の終端編目近傍の前後いずれかの針床の空針に捻れ目からなる他側増し目を形成した後、複数の編目からなる後行編目列を編成する。
［操作１］先行編目列の編幅内、もしくは中間編目列の編幅内に、一側増し目を挿入する。
［操作２］一側増し目を先行編目列の編幅内に挿入する場合は、後行編目列の編幅内に他側増し目を挿入し、一側増し目を中間編目列の編幅内に挿入する場合は、中間編目列の編幅内に他側増し目を挿入する。
【００１２】
本発明内増やし方法は、筒状編地において一対の増し目を形成することに利用できる。例えば、セーターなどの身頃の身幅を大きくすることに本発明内増やし方法を適用する場合、身頃を編幅方向に２分する基準線を規定し、同一の編成コースでその基準線を挟んで左右対称の位置に一対の増し目を形成すると良い。また、本発明内増やし方法は、前後編地部を有さない一枚物の編地（以下、便宜上ハンカチ編地と呼ぶ）において一対の増し目を形成することにも利用できる。例えば、ハンカチ編地を編幅方向に２分する基準線を規定し、同一編成コースでその基準線を挟んで左右対称の位置に一対の増し目を形成しても良い。その他、ハンカチ編地に特に基準線を設定せずに、ある編成コースで一つ目の増し目を形成し、その編成コースの直上の編成コース、もしくはその編成コースよりも複数コース上の編成コースで残りの増し目を形成しても良い。例えば、ハンカチ編地における編幅方向の一方の端部に向かって先行編目列と一側増し目を形成し、次いで当該端部で折り返される中間編目列を編成する。そして、他側増し目を形成してから後行編目列を編成する。この場合、中間編目列は２コースに渡って形成されることになる。
【００１３】
なお、上記操作１，２を行うタイミングは、種々選択することができる。例えば、後述する第１実施形態に示すように、上記過程を行った後、順次操作１と操作２を行うことが挙げられる。その他、第２実施形態に示すように、上記過程における一側増し目の形成が終了した時点で操作１を行い、次いで上記過程の全てが終了した時点で操作２を行っても良い。さらに、後述する変形実施形態に示すように、上記過程における先行編目列の形成が終了した時点で、先行編目列において一側増し目を形成するためのスペースを空けておき、その空いたスペースに一側増し目を形成することで、一側増し目の形成と挿入とが同時に行われるようにしても良い。
【００１４】
本発明内増やし方法の一形態として、他側増し目の形成は、一側増し目を形成した針床に対向する針床で行うことが好ましい。
【００１５】
また、本発明内増やし方法の一形態として、内増やしを行う過程で一側増し目を目移ししないで済むように、一側増し目を形成する前に、既に針床に形成されている先行編目列のうち、少なくとも中間編目列寄りの端部編目を除く単数あるいは複数の編目を対向する針床に目移しして、その目移しによって空針となった編針に一側増し目を形成することが好ましい。
【００１６】
一方、本発明編地は、少なくとも前後一対の針床と、各針床に複数配置される編針に編糸を給糸させる給糸口とを備える横編機を用いて編成された編地であって、編成順に先行編目列、中間編目列、後行編目列と規定される複数の編目からなる３つの編目列を備える。この本発明編地は、先行編目列の中間編目列寄りの端部編目と、中間編目列の先行編目列寄りの端部編目とに直接繋がる捻れ目からなる一側増し目と、後行編目列の中間編目列寄りの端部編目と、中間編目列の後行編目列寄りの端部編目とに直接繋がる捻れ目からなる他側増し目と、を有する。一側増し目は、先行編目列の編幅内、もしくは中間編目列の編幅内に挿入され、他側増し目は、後行編目列の編幅内、もしくは中間編目列の編幅内に挿入されていることを特徴とする。
【発明の効果】
【００１７】
本発明内増やし方法によれば、先行編目列・一側増し目・中間編目列の並びでこれらを編成した上で、先行編目列の編幅内、もしくは中間編目列の編幅内に一側増し目を挿入している。そうすることで、一側増し目を挿入する位置を挟む編目同士を繋ぐ編糸が、一側増し目を横切るように渡るため、当該一側増し目による孔空きを目立たなくすることができる。他側増し目の形成位置においても同様に、他側増し目を挿入する位置を挟む編目同士を繋ぐ編糸が他側増し目を横切るように渡るため、当該他側増し目による孔空きを目立たなくできる。その結果、本発明内増やし方法を使用すれば孔空きの目立たない見栄えの良い本発明編地を得ることができる。
【００１８】
ここで、一側増し目と他側増し目を挿入する位置を両方とも、中間編目列の側、もしくは中間編目列から離れる側に揃えることで、編地の見栄えを良くすることができる。例えば、第１実施形態に示すように、基準線を規定する筒状編地の編成において、両増し目を基準線から離れる方向に挿入すると、基準線を挟んで増し目の形成状態が線対称となり、編地の見栄えが良くなる。また、基準線を設定しないハンカチ編地の場合、両増し目を中間編目列の方向に挿入すると、２コースにまたがる２つの増し目の傾きが揃い、編地の見栄えが良くなる。
【００１９】
また、他側増し目の形成を、一側増し目を形成した針床に対向する針床で行うことで、両増し目の形成状態を同じにできる。特に、編地を編幅方向に２分する基準線を規定し、この基準線を挟んで対称な位置に両増し目を形成する場合、出来上がる編地において、基準線を挟んだ増し目の形成箇所近傍の編目状態を完全な線対称の形状とすることができる。この点については、図１，２を参照する第１実施形態に詳しく説明する。
【００２０】
さらに、内増やしを行う過程で一側増し目を目移ししないで済むようにすることで、内増やしの編成効率を大幅に向上させることができる。この点については、図３を参照する変形実施形態に詳しく説明する。
【図面の簡単な説明】
【００２１】
【図１】第１実施形態に示す内増やし方法についての編成工程図である。
【図２】（Ａ）は、図１の編成工程図で左側にある増し目の形成箇所近傍のループ図、（Ｂ）は、図１の編成工程図で右側にある増し目の形成箇所近傍のループ図である。
【図３】変形実施形態に示す内増やし方法についての編成工程図である。
【図４】第２実施形態に示す内増やし方法についての編成工程第１図である。
【図５】第２実施形態に示す内増やし方法についての編成工程第２図である。
【図６】第３実施形態に示す内増やし方法についての編成工程図である。
【図７】（Ａ）は、図６の編成工程図で左側にある増し目の形成箇所近傍のループ図、（Ｂ）は、図６の編成工程図で右側にある増し目の形成箇所近傍のループ図である。
【図８】従来の内増やし方法についての編成工程図である。
【発明を実施するための形態】
【００２２】
以下、左右方向に延び、かつ、前後方向に互いに対向する前後二対の針床を有し、前後の針床間で編目の目移しが可能な４枚ベッドの横編機を用いて、本発明の実施形態を説明する。以降、この横編機に備わる下部前針床をＦＤ、下部後針床をＢＤ、上部前針床をＦＵ、上部後針床をＢＵという。なお、以下に示す実施形態の編成は、編目の目移し用のトランスファージャックベッドを備える２枚ベッド横編機でも実施できるし、単なる２枚ベッド横編機であっても、各針床に係止される隣接する編目間に、目移し用の空針を設けることで実施することができる。
【００２３】
＜第１実施形態＞
図１は、セーターやカーディガンなどの筒状に編成される胴部において、身幅を大きくするために内増やしする際、本発明の内増やし方法を適用した編成工程図である。なお、本実施形態では、編地を編地の編幅方向に２分する基準線Ｘ−Ｘを規定している（図１中の一点鎖線を参照）。
【００２４】
Ｓ１には、内増やしを行う直前の編成コースが示されており、図の左から右方向に向けて給糸口９を移動させて、ＢＤの編針ｃ〜ｐで胴部の後身頃の編目を形成し、その後、給糸口９を反転させて左方向に移動させて、ＦＤの編針Ｐ〜Ｃに胴部の前身頃の編目を形成する。以降のＳ２〜Ｓ１２では、後身頃について基準線Ｘ−Ｘを挟んで対称な位置に一対の増し目を形成する例を説明する。
【００２５】
Ｓ２では、図の右方向に給糸口９を移動させて、ＢＤの編針ｃ〜ｅに後身頃の一部（先行編目列１）の編目を形成し、次のＳ３では、Ｓ２で形成した全ての編目を、対向するＦＵの編針Ｂ〜Ｄに目移しする。このＳ３の目移しにより、ＢＤの編針ｅが空針となる。
【００２６】
次に、Ｓ４では、給糸口９を反転させて、左方向に向かって移動させる間に、空針となったＢＤの編針ｅに掛け目２を形成する。そして、Ｓ５では、給糸口９を右方向に向かって移動させる間に、ＢＤの編針ｆ〜ｍに後身頃の一部（中間編目列３）の編目を形成する。このＳ４，Ｓ５によりＢＤの編針ｅに形成された掛け目２は捻られ、この捻られた掛け目２は、一側増し目２として、後工程（Ｓ８〜Ｓ１１）で先行編目列１の編幅内に挿入される。
【００２７】
Ｓ６では、給糸口９を反転させ、左方向に移動させる間に、空針であるＦＵの編針Ｍに掛け目４を形成する。そして、Ｓ７では、給糸口９を右方向に向かって移動させる間に、ＢＤの編針ｎ〜ｐに後身頃の残り（後行編目列５）の編目を形成する。このＳ６，Ｓ７によりＦＵの編目Ｍに形成される掛け目４は捻られ、この捻られた掛け目４は、他側増し目４として、後工程（Ｓ８，Ｓ９，Ｓ１２）で後行編目列５の編幅内に挿入される。
【００２８】
Ｓ８では、Ｓ４でＢＤの編針ｅに形成した掛け目２を、対向するＦＵの編針Ｅに目移しすると共に、Ｓ７でＢＤの編針ｎ〜ｐに形成した後行編目列５の編目のうち、編針ｏ，ｐに係止される編目を対向するＦＵの編針Ｏ，Ｐに目移しする。
【００２９】
Ｓ９では、Ｓ３で目移しすることによりＦＵの編針Ｄに係止される編目１１をＢＤの編針ｅに目移しすると共に、Ｓ８で目移しすることによりＦＵの編針Ｏ，Ｐに係止される編目を、対向するＢＤの編針ｐ，ｑに目移しする。Ｓ９で目移しされた編目１１（先行編目列１のうち、中間編目列３寄りの端部編目）は、Ｓ２で編成したときと同じ位置に戻された状態になる。また、このＳ９により、後行編目列５の編幅内であって、後行編目列５における中間編目列３寄りの端部編目５１と、この端部編目５１に隣接する隣接編目５２の間に空針（ＢＤの編針ｏ）が形成される。
【００３０】
Ｓ１０では、Ｓ３で目移しすることによりＦＵの編針Ｂ，Ｃに係止される編目を、対向するＢＤの編針ｂ，ｃに目移しする。このＳ１０により、先行編目列１の編幅内であって、先行編目列１における中間編目列３寄りの端部編目１１と、この端部編目１１に隣接する隣接編目１２との間に空針（ＢＤの編針ｄ）が形成される。
【００３１】
最後に、Ｓ１１，Ｓ１２では、Ｓ８でＦＵの編針Ｅに預けておいた掛け目２、およびＳ６でＦＵの編針Ｍに形成した掛け目４をそれぞれ、Ｓ９，Ｓ１０で形成した空針である編針ｄ，ｏに目移しし、端部編目１１と隣接編目１２の間、および端部編目５１と隣接編目５２の間に挿入する。これにより、掛け目２，４が増し目として、後身頃の編幅内に形成される。
【００３２】
ここで、図示しないが、前身頃については、Ｓ２〜Ｓ１２と同様の編成を、編成方向を入れ替えて行えば良い。
【００３３】
上述した編成により形成される増し目の形成箇所近傍におけるループ図を、図２に示す。図２（Ａ）に示すように、一側増し目２は、先行編目列１の端部編目１１と中間編目列３の端部編目３１に直接繋がる捻り目であって、この一側増し目２を跨ぐように、先行編目列１の端部編目１１と隣接編目１２とを繋ぐ編糸が渡っており、一側増し目２の形成箇所における孔空きを目立たなくできる。同様に、図２（Ｂ）に示すように、他側増し目４は、後行編目列５の端部編目５１と中間編目列３の端部編目３３に直接繋がる捻り目であって、この他側増し目４を跨ぐように、後行編目列５の端部編目５１と隣接編目５２とを繋ぐ編糸が渡っており、他側増し目４の形成箇所における孔空きを目立たなくできる。また、図２（Ａ）、（Ｂ）を対比すればわかるように、一側増し目２の形成箇所と、他側増し目４の形成箇所と、編目の並びや編交差状態が、基準線Ｘ−Ｘを挟んで完全な線対称となっている。そのため、出来上がる編地の見栄えを良くすることができる。
【００３４】
なお、図１に記載のステップを、本発明の要旨を逸脱しない範囲で適宜入れ替えても良い。例えば、Ｓ１１とＳ１２の順序が逆でも良い。これら例示したものに限らず、適宜ステップを入れ替えたりすることで、編成効率を向上させることができる。その具体例を、次の変形実施形態に示す。
【００３５】
＜変形実施形態＞
変形実施形態では、内増やしを行う過程を通じて、形成した一側増し目を移動させないようにすることで、第１実施形態よりも編成効率を向上させた内増やし方法を図３に示す編成工程図に基づいて説明する。図３に示す編成は、図１に示す編成と共通する部分が多いので、図１との相違点を中心に説明する。
【００３６】
Ｓ１´，Ｓ２´では、図１のＳ１，Ｓ２と同様である。続くＳ３´では、図１のＳ３とは異なり、Ｓ２´で形成した先行編目列１の編目を全て目移しするのではなく、ＢＤの編針ｃ，ｄに係止される編目を、対向するＦＵの編針Ｂ，Ｃに目移しし、端部編目１１はＢＤの編針ｅに残したままとする。
【００３７】
次いで、Ｓ４´では、Ｓ３´により空針となったＢＤの編針ｄ（Ｓ２´で隣接編目１２が形成されていた編針）に、捻り目となる掛け目２を形成する。この掛け目２は、後工程において移動することなく、そのまま一側増し目２となる。
【００３８】
Ｓ５´〜Ｓ７´では、図１のＳ５〜Ｓ７と同様の編成を行い、中間編目列３、他側増し目となる掛け目４、後行編目列５を編成する。
【００３９】
Ｓ８´では、Ｓ３´で目移しすることによりＦＵの編針Ｂ，Ｃに係止される編目を、対向するＢＤの編針ｂ，ｃに目移しすると共に、Ｓ７´で形成した後行編目列５の編目のうち、ＢＤの編針ｏ，ｐに係止される編目を、対向するＦＵの編針Ｏ，Ｐに目移しする。このＳ８´により、先行編目列１の端部編目１１と隣接編目１２の間に、一側増し目２が挿入された状態になる。
【００４０】
Ｓ９´では、Ｓ８´で目移しすることによりＦＵの編針Ｏ，Ｐに係止される編目を、対向するＢＤの編針ｐ，ｑに目移しし、続くＳ１０´では、Ｓ６´で形成した掛け目４を、対向するＢＤの編針ｏに目移しする。このＳ９´，Ｓ１０´により、後行編目列５の端部編目５１と隣接編目５２との間に、他側増し目４が挿入された状態になる。
【００４１】
この変形実施形態の編成工程によれば、第１実施形態で編成した編地と同じ編地を編成することができる。しかも、一側増し目２を形成位置から移動させないように編成工程を組むことで、第１実施形態よりも編成効率を向上させることができる。
【００４２】
＜第２実施形態＞
第２実施形態では、セーターなどの筒状に編成される袖において、袖幅を大きくするために内増やしをする際、本発明の内増やし方法を適用する例を図４，５に基づいて説明する。この場合、袖の内側において、袖の前後の編地部にそれぞれ増し目を形成するため、袖を前後の編地に２分するように基準線を規定する。つまり、図４，５に示すように、基準線Ｘ−Ｘは、前後の針床を分けるように、針床の長手方向に沿って設定される。
【００４３】
図４のＴ１には、内増やしを行う直前の編成コースが示されており、ＦＤの編針Ｅ〜Ｍに袖の前側編地の編目が形成され、ＢＤの編針ｅ〜ｍに袖の後側編地の編目が形成されている。この状態から、袖の後側編地の一部を先行編目列、袖の前側編地の一部を後行編目列、後側編地と前側編地の残りの部分を中間編目列としてＴ２〜Ｔ１５に示す編成を行う。
【００４４】
Ｔ２では、給糸口９を右方向に移動させ、ＢＤの編針ｅ〜ｊに先行編目列１の編目を形成し、Ｔ３，Ｔ４で給糸口９を左方向・右方向に移動させる間にＦＵの編針Ｊに掛け目２を、ＢＤの編針ｋ〜ｍに中間編目列３の一部の編目を形成する。掛け目２は、一側増し目２として、次のＴ５〜Ｔ７で中間編目列３の編幅内に挿入される。
【００４５】
Ｔ５，Ｔ６では、Ｔ４で形成した中間編目列３の３つの編目のうち、先行編目列１寄りの端部編目３１（ＢＤの編針ｋの編目）を動かさず、残りの２つの編目をＦＵの編針Ｌ，Ｍを経由してＢＤの編針ｍ，ｎに目移しする。これらＴ５，Ｔ６の結果、中間編目列３の端部編目３１と隣接編目３２との間に空針（ＢＤの編針ｌ）が形成されるので、Ｔ７でその空針に、Ｔ３でＦＵの編針Ｊに形成した掛け目２を目移しする。これら一連の操作により、中間編目列３の端部編目３１と隣接編目３２の間に一側増し目（掛け目）２が挿入される。
【００４６】
次に、図５のＴ８では、Ｔ６で右側に止めおいた給糸口９を左方向に移動させ、ＦＤの編針Ｍ〜Ｋに、Ｔ４で半分だけ形成した中間編目列３の残りの編目を形成する。続くＴ９では、Ｔ８で形成した編目を全て、ＢＵの編針ｌ〜ｎに目移しする。
【００４７】
Ｔ１０，Ｔ１１では、給糸口９を右方向・左方向に往復移動させる間に、ＦＤの編針Ｋに掛け目４を、ＦＤの編針Ｊ〜Ｅに後行編目列５の編目を形成する。掛け目４は、他側増し目４として、次のＴ１２〜Ｔ１５で中間編目列３の編幅内に挿入される。
【００４８】
Ｔ１２では、Ｔ１０で形成した掛け目４を対向するＢＵの編針ｋに預け、Ｔ１３では、中間編目列３の端部編目３３を、その形成時（Ｔ８参照）の位置であるＦＤの編針Ｋに戻す。そして、Ｔ１４では、Ｔ９でＢＵに預けておいた中間編目列３の編目を、対向するＦＤの編針Ｍ，Ｎに目移しし、Ｔ１５では、掛け目４を中間編目列３の端部編目３３と隣接編目３４との間に形成される空針（ＦＤの編針Ｌ）に目移しする。これらＴ１２〜Ｔ１５により、中間編目列３の端部編目３３と隣接編目３４との間に他側増し目４が挿入される。
【００４９】
以上説明した編成工程に従って編幅を増加させた袖においても、基準線Ｘ−Ｘを挟んで左右完全に対称な一対の増し目を形成することができるし、その増し目の形成箇所における孔空きを目立たなくできる。
【００５０】
＜第３実施形態＞
上述した実施形態では、一側増し目と他側増し目を前後異なる側の針床で編成する例を説明したが、本第３実施形態では、両増し目を前後同じ側の針床で編成する例を、図６に基づいて説明する。
【００５１】
Ｕ１には、前身頃と後身頃を周回編成した状態が示されている。この状態から、Ｕ２では、給糸口９を右方向に移動させる間にＢＤの編針ｃ〜ｅに先行編目列１の編目を形成し、続くＵ３では、給糸口９を反転させて、ＦＵの編針Ｅで掛け目２を形成する。さらに、Ｕ４では、給糸口９を右方向に移動させる間に、ＢＤの編針ｆ〜ｍに中間編目列３の編目を形成し、続くＵ５では、給糸口を反転させて、ＦＵの編針Ｎで掛け目４を形成し、Ｕ６では、給糸口９を右方向に移動させる間にＢＤの編針ｎ〜ｐに後行編目列５の編目を形成する。これら一連の工程で掛け目２，４は共に、ＦＵの編針に形成されることになる。
【００５２】
Ｕ７では、ＢＤの編針ｃ，ｄ（ｏ，ｐ）に係止される先行編目列１（後行編目列５）の編目を、対向するＦＵの編針Ｃ，Ｄ（Ｏ，Ｐ）に目移しした後、Ｕ８（Ｕ９）でＢＵの編針ｐ，ｑ（ｂ，ｃ）に目移しする。これらＵ７〜Ｕ９により、先行編目列１の端部編目１１と隣接編目１２との間、および後行編目列５の端部編目５１と隣接編目５２との間に、空針（ＢＤの編針ｄ，ｏ）が形成される。
【００５３】
最後に、Ｕ１０，Ｕ１１で、上記空針（ＢＤの編針ｄ，ｏ）に、Ｕ３，Ｕ５で形成した掛け目２，４を増し目２，４として、編地部１，５の編幅内に挿入する。
【００５４】
第３実施形態の編成により形成される増し目の形成箇所近傍におけるループ図を、図７に示す。この図７（Ａ）に示すように、先行編目列１の端部編目１１と隣接編目１２とを繋ぐ編糸が一側増し目２を跨ぐように渡り、図７（Ｂ）に示すように、後行編目列５の端部編目５１と隣接編目５２とを繋ぐ編糸が他側増し目４を跨ぐように渡るため、増し目２，４の形成箇所における孔空きを目立たなくできる。
【００５５】
なお、上述した実施形態では、説明の便宜上、全ての編地部を天竺編みとしたが、これらの編地部を組織柄にすることもできる。
【符号の説明】
【００５６】
１  先行編目列  １１  端部編目  １２  隣接編目
２  掛け目（一側増し目）
３  中間編目列  ３１，３３  端部編目  ３２，３４  隣接編目
４  掛け目（他側増し目）
５  後行編目列  ５１  端部編目  ５２  隣接編目
９  給糸口
【図１】
0005695847.tif 000002
【図２】
0005695847.tif 000003
【図３】
0005695847.tif 000004
【図４】
0005695847.tif 000005
【図５】
0005695847.tif 000006
【図６】
0005695847.tif 000007
【図７】
0005695847.tif 000008
【図８】
0005695847.tif 000009